(57)【要約】      （修正有）【課題】外反母趾等の足指の変形及び扁平足を防止して足の痛みや疲れを軽減し、履き心地の良好な草履を提供する。【解決手段】天板材４と中板材と底板材９とを一体的に重ね合わせた草履本体と、この草履本体に取り付けられる鼻緒から構成される草履において、上記天板材は、所定の平面形状に形成された通気性部材等により構成されるものであり、上記中板材は、所定の平面形状に形成され、上面に合成樹脂製の突起５ａを複数個突設したツボ刺激上中敷材５と、土踏まずの部分を高くするように配置された弾性組成物で形成された中敷パット７と、所定の平面形状に形成された発泡樹脂製の下中敷８とにより構成される多層構造体としたものであって、且つ上記底板材は、所定の平面形状に形成された通気性部材等により構成される。【選択図】図７
0003101276.tif 000002
【実用新案登録請求の範囲】
【請求項１】
天板材と中板材と底板材とを重ね合わせた草履本体と、この草履本体に取り付けられる鼻緒から構成され、
前記天板材は、所定の平面形状に形成された洗浄可能な通気性部材であって、
前記中板材は、所定の平面形状に形成され、上面に突起を突設したツボ刺激上中敷材と、所定の平面形状に形成された合成樹脂製の格子状中敷と、弾性組成物で形成され、土踏まずの部分を高くするように配置された中敷パットと、所定の平面形状に形成された発泡樹脂製の下中敷とからなる多層構造体としたものであって、
且つ前記底板材は、所定の平面形状に形成された洗浄可能な通気性部材であって、表面に滑り止め加工されていることを特徴とする、草履。
【請求項２】
天板材と中板材と底板材とを重ね合わせた草履本体と、この草履本体に取り付けられる鼻緒から構成され、
前記天板材は、足形の平面形状に形成された洗浄可能な通気性部材を挟み、該通気性部材の上面及び下面に補強布をそれぞれ貼り合わせたものであり、
前記中板材は、足形の平面形状に形成された不織布に、上面に合成樹脂製の半球状突起を複数個突設したツボ刺激上中敷材と、所定の平面形状に形成された合成樹脂製の格子状中敷と、弾性組成物で形成され、土踏まずの部分を高くするように配置された中敷パットと、足形の平面形状に形成された発泡樹脂製の下中敷とからなる多層構造体としたものであって、
且つ前記底板材は、足形の平面形状に形成された洗浄可能な通気性部材を挟んで、該通気性部材の上面に補強布を、下面に滑り止め加工した補強布をそれぞれ貼り合わせたものであることを特徴とする、草履。
【考案の詳細な説明】
【技術分野】
【０００１】
本考案は、外反母趾及び扁平足の防止効果を有する草履に関する。
【背景技術】
【０００２】
近年の健康志向の高まりから、多くの種類の履物が提案されている。例えば、屋内用として、いわゆる「健康スリッパ」と称され、スリッパ本体の上面に突起を設けて、突起の頂部で足の裏の「ツボ」の部分を刺激するものが良く知られている。
【０００３】
実用新案登録第３０１８３２７号公報には、突起を有する芯板を設けると共に洗浄可能の部材からなる底板を使用し、上記をクッション性のある天板で覆ったスリッパが開示されている。そのため、上記公報に開示されたスリッパを使用した場合、上記の効果を有するだけでなく、履き心地良く使用することができ、長時間使用による汚れを洗浄して繰り返し使用することができる。
【０００４】
しかし、上記の公報に開示されたスリッパを使用する場合、足の指が全て束ねられた状態で固定されるので、外反母趾を防止できる効果が期待できない。また、スリッパ本体の内部に突起が複数個配置されていても、足を載せる部分はほぼ平面状であり、扁平足を積極的に防止する効果についても期待できない。
【０００５】
【特許文献１】実用新案登録第３０１８３２７号公報
【考案の開示】
【考案が解決しようとする課題】
【０００６】
本考案は、上記の事情に鑑みてなされたもので、外反母趾等の足指の変形及び扁平足を防止して足の痛みや疲れを軽減し、履き心地の良好な屋内履き用の草履を提供することを目的とする。
【課題を解決するための手段】
【０００７】
本考案の草履は、天板材と中板材と底板材とを重ね合わせた草履本体と、この草履本体に取り付けられる鼻緒から構成される。上記天板材は、所定の平面形状に形成された通気性を有する洗浄可能な部材により構成されるものであり、上記中板材は、所定の平面形状に形成され、上面に突起を突設したツボ刺激上中敷材と、所定の平面形状に形成された合成樹脂製の格子状中敷と、弾性組成物で形成され、土踏まずの部分を高くするように配置された中敷パットと、所定の平面形状に形成された発泡樹脂製の下中敷とにより構成される多層構造体としたものであって、且つ上記底板材は、所定の平面形状に形成された通気性を有する洗浄可能な部材により構成されるものであることを特徴とする。
【考案の効果】
【０００８】
本考案によれば、足の指が全て束ねられた状態で固定されないため、スリッパのような窮屈感がなく、開放的な使用感を有する。また、親指と人差し指の間隔を保てるから、親指の偏りが緩和され、外反母趾等の足指の変形を防止し、痛みや疲れを軽減する。また、土踏まずの部分がなだらかに凸状に盛り上げられているので、歩行や走行の際に体重が分散して偏平足を防止し、偏平足を原因とする足の疲れや足の痛みは軽減される。また、合成樹脂製の突起を天板材が覆っているので、突起の頂部が直接足の裏に当たらず、履き心地が良好である。更に、洗濯機等で何度も洗浄することが可能なので、清潔感を維持することができる。
【考案を実施するための最良の形態】
【０００９】
上述したように、本考案の草履は、天板材と中板材と底板材とを重ね合わせた草履本体により構成される。天板材は、後述のツボ刺激上中敷材の半球状突起による刺激を適度にして履き心地を良好にする目的で使用される。上記天板材は、綿、麻、絹、羊毛、カシミヤ等の天然繊維及び／又はアクリル、ナイロン、レーヨン、ポリエステル等の化学繊維の織布、編布及び不織布を足形に形成したものが好ましく使用される。また、上記の織布、編布及び不織布は、単独でも使用できるが、目的に応じて複数枚重ね合わせたものを天板材として使用できる。例えば、夏場において、綿、麻等の通気性を重視した素材を使用し、冬場において、羊毛、カシミヤ、ポリエステル等の保温性を重視した素材を使用することができる。また、これらの機能に加えて、四季に合わせて豊富なバリエーションの図柄を施す等、意匠的な効果も発揮される。尚、使用感及び審美性をより高めるには、足形の平面形状に形成された通気性部材を挟み、該通気性部材の上面及び下面に補強布をそれぞれ貼り合わせてキルティング縫製したものを使用することが好ましい。
【００１０】
上記中板材は、足形の平面形状に形成され、上面に合成樹脂製の半球状突起を複数個突設した不織布からなるツボ刺激上中敷材と、足形の合成樹脂製の格子状中敷と、土踏まずの部分を高くするように配置された弾性組成物で形成された中敷パットと、足形の発泡樹脂製の下中敷とからなる多層構造体としたものであることが好ましい。
【００１１】
上記のツボ刺激上中敷材に使用する不織布は、ポリエステル、ナイロン、アクリル、ポリウレタン、レーヨン、アセテート等の化学繊維をケミカルボンド、サーマルボンド、スパンレース、ニードルパンチ或いはステッチボンドの製法で製造された乾式不織布が好ましい。上記の半球型突起としては、ポリウレタン等のクッション性に富む部材を使用することが好ましい。上記の格子状中敷としては、ポリウレタン系樹脂、合成ゴム、ポリ塩化ビニル系樹脂等の弾力性に富む組成物により形成されており、多数の小孔を設けて空気の流通が図られたものを使用することが好ましい。或いは、ポリエステル系樹脂、ポリ塩化ビニル系樹脂等の合成繊維をフライス編み、鹿の子編み等にした通気性に優れる布状のものを用いることが望ましい。上記の中敷パットは、ポリウレタンフォーム、ゴムスポンジ等のクッション性に富む多孔質部材であって、足底の他の部分に比べて土踏まずの部分が凸状に盛り上がるように形成若しくは足底の他の部分に比べて土踏まずの部分が高くなるように配置されることが好ましい。上記の下中敷としては、発泡ポリウレタンフォーム等の発泡樹脂、或いはＥＶＡフォームなどのクッション性に富む合成樹脂製の多孔質部材であって、厚さ２ｍｍ〜７ｍｍの足形の平板に成形されたものが好ましい。
【００１２】
上記底板材は、綿、麻等の天然繊維及び／又はポリエステル、ポリウレタン等の化学繊維の織布、編布及び不織布を滑り止め加工したものであって、足形に形成したものが好ましく使用される。また、上記の織布、編布及び不織布は、単独でも使用できるが、目的に応じて複数枚重ね合わせたものを底板材として使用できる。例えば、使用感及び審美性をより高めるには、足形の平面形状に形成された通気性部材を挟んで、該通気性部材の上面に補強布を、下面に滑り止め加工した補強布をそれぞれ貼り合わせてキルティング縫製されていることが好ましい。
【００１３】
本考案の草履の本体は、上述の天板材と中板材と底板材とを一体的に重ね合わせた状態を固定することにより構成され、好ましくは、上述の天板材と中板材と底板材とを縁布で縁取りし、縫製糸で縫付けて一体的に重ね合った状態で固定する。尚、この場合に使用する縁布は、化学繊維或いは天然繊維の何れの材質のものであっても使用することができるが、耐久性の高いものを使用するのが好ましい。
【００１４】
本考案の草履は、上述した草履本体と、この草履本体に取り付けられる鼻緒から構成される。草履本体に取り付ける鼻緒は、前鼻緒と、その前鼻緒の取付位置から２つ折りされた後鼻緒とにより構成されており、草履本体に取り付けられる。前鼻緒は、親指と人差し指との間隔を保つために太紐にすることが好ましい。これにより、親指の片寄りが緩和され、足指が自然と広がるので、指の重なりがなく、外反母趾等による足指の変形を防止することができる。鼻緒は、表地には透湿性及び使用感の良好な素材を用い、芯材にはポリプロピレン樹脂製のものを用いることが好ましい。
【実施例】
【００１５】
以下、本考案の実施例１及び２について、図１ないし図１０を参照しながら説明する。
図１及び図２において、本考案の草履は、草履本体１と、この草履本体に取り付けられる鼻緒２とからなる。この草履本体１は、天板材と中板材と底板材とを一体的に重ね合わせることにより構成される。
【００１６】
実施例１における天板材４は、図７に示すように、１枚構造のものである。この場合には、強度の強い織布、編布が主に使用される。
【００１７】
実施例２における天板材は、図８に示すように、足形状に成形した不織布４ｂを通気性部材として用いており、該不織布４ｂを挟んでその上面に補強布４ａを下面に補強布４ｃをそれぞれ貼り合わせたものである。補強布４ａ及び４ｃは、天板材の補強及び形状の安定を図るためのものであり、補強布４ａは、これらの機能に加えて、四季に合わせて豊富なバリエーションの図柄を施す等、意匠的な効果を確保するための化粧布としての機能も有する。上記の補強布４ａ及び補強布４ｃは、化学繊維或いは天然繊維の何れの材質のものであっても使用することができるが、吸湿性が高く、使用感の良好なコットン（綿）製のものを使用するのが好ましい。
不織布４ｂには、ポリエステル、ナイロン、アクリル、ポリウレタン、レーヨン、アセテート等の化学繊維や綿等の天然繊維の何れの材質のものであっても使用することができる。
尚、実施例２においては通気性部材として不織布を用いたが、上記の不織布４ｂの代用として、弾力性を有し、かつ耐水性を有する多孔質部材であれば用いることができ、例えば、スポンジ、ポリウレタンフォーム等を足形に成形したものでも良い。
補強布４ａ及び補強布４ｃとは、図８に示すように両者の間に配置された不織布４ｂを貼り合わせ、図２に示すように、縫製糸４ｄでキルティング縫製することによって、この挟持状態が維持されている。
【００１８】
実施例１及び２における中板材は、図７及び図８に示すように、足形に形成され、上面に合成樹脂製の半球状突起５ａを複数個突設した不織布からなるツボ刺激上中敷材５と、足形に形成された合成樹脂製の格子状中敷６と、土踏まずの部分を高くするように配置された弾性組成物で形成された中敷パット７と、足形に平面形状に形成された発泡樹脂製の下中敷８とを一体的に重ね合わせて多層構造体としたものである。
【００１９】
実施例１及び２において、中板材を構成するツボ刺激上中敷材５は、足形状に成形した不織布を用いており、その上面に合成樹脂製の半球状突起５ａを複数個固定的に配置したものである。該半球型突起５ａは、図９に示すように等間隔をおいて長さ方向（同図上下方向）に並べられて縦列を形成しており、さらにこの縦列が足幅方向に等間隔をおいて設けられている。半球型突起５ａの大きさは、高さが２〜５mmの範囲内であり、底面が直径２〜１０ｍｍの範囲内の円形状であることが好ましい。
【００２０】
中板材を構成する格子状中敷６は、上述したように、弾力性に富む合成樹脂組成物により形成されており、多数の小孔を設けて空気の流通が図られている。
【００２１】
中板材を構成する中敷パット７は、足へのクッションとしての機能を果たすとともに、土踏まずの部分を凸状に盛り上げて扁平足を防止する機能も有する。
【００２２】
中板材を構成する下中敷８は、発泡ポリウレタンフォーム等の発泡樹脂を足形に形成したものであって、足へのクッションとしての機能を果たす。
【００２３】
草履本体１は、更に底板材９によって構成されている。実施例１の底板材９は、図７に示すように１枚構造のものであり、図３に示されるように床面と直に接する側には滑り止め９ｆが施されている。実施例１のように底板材を１枚構造とする場合、強度の強い織布、編布が主に使用される。
【００２４】
実施例２では、図８に示すように、足形状に成形した不織布９ｂを通気性部材として用いており、該不織布９ｂを挟んでその上面に補強布９ａを下面に補強布９ｃをそれぞれ貼り合わせたものである。補強布９ａ及び９ｃは、天板材の補強及び形状の安定を図るためのものであるが、補強布９ｃは床面と直に接するので、滑り止め加工されていることが望ましい。図４の草履本体の底面図には、補強布９ｃに施された滑り止め加工の一例が示されており、この例では、小さな半球状の突起９ｅを多数設けたものである。
上記の補強布９ａ及び補強布９ｃは、化学繊維或いは天然繊維の何れの材質のものであっても使用することができるが、ポリエステル等の耐久性の高い化学繊維製のものを使用するのが好ましい。補強布９ａ及び補強布９ｃとは、図４に示すように両者の間に配置された不織布９ｂを貼り合わせ、図４に示すように、縫製糸９ｄでキルティング縫製することによって、この挟持状態が維持されている。
【００２５】
草履本体１は、天板材と中板材と底板材とを上述したように重ね合わせて構成される。そして、上記の中板材は、この実施例では図７及び図８に示すように、ツボ刺激上中敷材５と、格子状中敷６と、土踏まずの部分を高くするように配置された弾性組成物で形成された中敷パット７と、下中敷８とを一体的に重ね合わせた多層構造体で構成される。これらの構成部材は、縁布３で縁取りされ、草履の表側において縫製糸３ａで該縁布３の外周を補強布４ａに縫付けるとともに、草履の裏側において縫製糸３ｂで該縁布３の外周を補強布９ｃに縫付けることによって、一体的に重ね合った状態で固定されている。
【００２６】
上述した草履本体に取り付ける鼻緒２は、前鼻緒と、その前鼻緒の取付位置から２つ折りされた後鼻緒とにより構成されており、草履本体１に取り付けられる。
【００２７】
図１０は、本考案の草履の使用状態を示す側面図である。このように、本考案の草履を履いた状態において、土踏まずの部分がなだらかに盛り上げられているので、歩行や走行の際に体重が分散して偏平足が防止され、偏平足を原因とする足の疲れや足の痛みが軽減される。
【図面の簡単な説明】
【００２８】
【図１】本考案の実施例１の平面図である。
【図２】本考案の実施例２の平面図である。
【図３】本考案の実施例１の底面図である。
【図４】本考案の実施例２の底面図である。
【図５】本考案の実施例１の側面図である。
【図６】本考案の実施例２の側面図である。
【図７】本考案の実施例１の分解斜視図である。
【図８】本考案の実施例２の分解斜視図である。
【図９】本考案の実施例１及び２に使用するツボ刺激上中敷材５の斜視図である。
【図１０】本考案の草履の使用状態を示す側面図である。
【符号の説明】
【００２９】
１    草履本体
２    鼻緒
３    縁布
３ａ  縫製糸（草履表側）
３ｂ  縫製糸（草履裏側）
４    天板材
４ａ  補強布
４ｂ  不織布
４ｃ  補強布
４ｄ  縫製糸
５    ツボ刺激上中敷材
５ａ  半球状突起
６    格子状中敷
７    中敷パット
８    下中敷
９    底板材
９ａ  補強布
９ｂ  不織布
９ｃ  補強布
９ｄ  縫製糸
９ｅ  突起
９ｆ  滑り止め
【図１】
0003101276.tif 000003
【図２】
0003101276.tif 000004
【図３】
0003101276.tif 000005
【図４】
0003101276.tif 000006
【図５】
0003101276.tif 000007
【図６】
0003101276.tif 000008
【図７】
0003101276.tif 000009
【図８】
0003101276.tif 000010
【図９】
0003101276.tif 000011
【図１０】
0003101276.tif 000012